(57)【特許請求の範囲】
【請求項１】
ユーザが指定した設定に基づいて印刷処理を実行する印刷手段と、
第１の設定を受け付けるための設定画面と、前記第１の設定を受け付けるための設定画面の後に表示される画面であって第２の設定を受け付けるための設定画面と、前記第１の設定を受け付けるための設定画面及び前記第２の設定を受け付けるための設定画面を介して行われた設定内容を確認するための確認画面とを表示する表示手段と、
特定の操作がなされた場合は、前記第１の設定を受け付けるための設定画面が表示された状態から前記第２の設定を受け付けるための設定画面と前記設定内容を確認するための確認画面の表示を省略して前記印刷処理を開始すること、及び、前記第２の設定を受け付けるための設定画面が表示された状態から前記設定内容を確認するための確認画面の表示を省略して前記印刷処理を開始することを許容し、前記特定の操作がなされない場合は、画面の表示を省略して前記印刷処理を開始することを許容しないように制御する制御手段とを備えることを特徴とする画像形成装置。
【請求項２】
前記特定の操作がなされた場合に、前記制御手段は、前記第１の設定を受け付けるための設定画面が表示された状態、又は前記第２の設定を受け付けるための設定画面が表示された状態で前記印刷処理の実行が指示されたことに応じて、前記印刷処理を開始するように制御することを特徴とする請求項１に記載の画像形成装置。
【請求項３】
前記特定の操作がなされない場合に、前記制御手段は、前記第１の設定を受け付けるための設定画面が表示された状態、又は前記第２の設定を受け付けるための設定画面が表示された状態で前記印刷処理の実行が指示されたとしても、前記印刷処理を開始しないように制御することを特徴とする請求項１又は２に記載の画像形成装置。
【請求項４】
原稿を読み取り画像データを生成する読取手段と、
ユーザが指定した設定と前記画像データとに基づいて印刷処理を実行する印刷手段と、
前記画像データを印刷するときのレイアウトの設定を受け付けるための設定画面と、前記レイアウトの設定を受け付けるための設定画面の後に表示される画面であって前記読取手段が原稿を読み取る際の読取サイズの設定を受け付けるための設定画面と、前記レイアウトの設定を受け付けるための設定画面及び前記読取サイズの設定を受け付けるための設定画面を介して行われた設定内容を確認するための確認画面とを表示する表示手段と、
特定の操作がなされた場合は、前記レイアウトの設定を受け付けるための設定画面が表示された状態から前記読取サイズの設定を受け付けるための設定画面と前記設定内容を確認するための確認画面の表示を省略して前記印刷処理を開始すること、及び、前記読取サイズの設定を受け付けるための設定画面が表示された状態から前記設定内容を確認するための確認画面の表示を省略して前記印刷処理を開始することを許容し、前記特定の操作がなされない場合は、画面の表示を省略して前記印刷処理を開始することを許容しないように制御する制御手段とを備えることを特徴とする画像形成装置。
【請求項５】
前記特定の操作がなされた場合に、前記制御手段は、前記レイアウトの設定を受け付けるための設定画面が表示された状態、又は前記読取サイズの設定を受け付けるための設定画面が表示された状態で前記印刷処理の実行が指示されたことに応じて、前記印刷処理を開始するように制御することを特徴とする請求項４に記載の画像形成装置。
【請求項６】
前記特定の操作がなされない場合に、前記制御手段は、前記レイアウトの設定を受け付けるための設定画面が表示された状態、又は前記読取サイズの設定を受け付けるための設定画面が表示された状態で前記印刷処理の実行が指示されたとしても、前記印刷処理を開始しないように制御することを特徴とする請求項４又は５に記載の画像形成装置。
【請求項７】
前記特定の操作がなされたことで前記レイアウトの設定を受け付けるための設定画面が表示され、かつ前記読取サイズの設定を受け付けるための設定画面と前記設定内容を確認するための確認画面の表示が省略された場合は、前記読取手段は、予め定められている原稿の読取サイズに基づいて原稿を読み取ることを特徴とする請求項４乃至６のいずれか１項に記載の画像形成装置。
【請求項８】
前記印刷手段は、出力先の用紙のサイズの設定と前記レイアウトの設定とに基づいて前記印刷処理を実行することを特徴とする請求項４乃至７のいずれか１項に記載の画像形成装置。
【請求項９】
前記出力先の用紙のサイズの設定は、ユーザによって予め前記画像形成装置に設定されることを特徴とする請求項８に記載の画像形成装置。
【請求項１０】
前記出力先の用紙のサイズの設定は、前記印刷処理で使用する給紙カセットとしてユーザによって予め設定された給紙カセットにセットされている用紙のサイズに基づいて決定されることを特徴とする請求項８に記載の画像形成装置。
【請求項１１】
前記レイアウトは、複数ページ分の画像データを１枚のシートに集約して印刷するときのレイアウトであることを特徴とする請求項４乃至１０のいずれか１項に記載の画像形成装置。
【請求項１２】
前記特定の操作とは、前記画像形成装置に備えられた特定の入力キーの押下であることを特徴とする請求項１乃至１１のいずれか１項に記載の画像形成装置。
【請求項１３】
ユーザが指定した設定に基づいて印刷処理を実行する印刷ステップと、
第１の設定を受け付けるための設定画面と、前記第１の設定を受け付けるための設定画面の後に表示される画面であって第２の設定を受け付けるための設定画面と、前記第１の設定を受け付けるための設定画面及び前記第２の設定を受け付けるための設定画面を介して行われた設定内容を確認するための確認画面とを表示する表示ステップと、
特定の操作がなされた場合は、前記第１の設定を受け付けるための設定画面が表示された状態から前記第２の設定を受け付けるための設定画面と前記設定内容を確認するための確認画面の表示を省略して前記印刷処理を開始すること、及び、前記第２の設定を受け付けるための設定画面が表示された状態から前記設定内容を確認するための確認画面の表示を省略して前記印刷処理を開始することを許容し、前記特定の操作がなされない場合は、画面の表示を省略して前記印刷処理を開始することを許容しないように制御する制御ステップとを有することを特徴とする画像形成装置の制御方法。
【請求項１４】
原稿を読み取り画像データを生成する読取ステップと、
ユーザが指定した設定と前記画像データとに基づいて印刷処理を実行する印刷ステップと、
前記画像データを印刷するときのレイアウトの設定を受け付けるための設定画面と、前記レイアウトの設定を受け付けるための設定画面の後に表示される画面であって前記読取手段が原稿を読み取る際の読取サイズの設定を受け付けるための設定画面と、前記レイアウトの設定を受け付けるための設定画面及び前記読取サイズの設定を受け付けるための設定画面を介して行われた設定内容を確認するための確認画面とを表示する表示ステップと、
特定の操作がなされた場合は、前記レイアウトの設定を受け付けるための設定画面が表示された状態から前記読取サイズの設定を受け付けるための設定画面と前記設定内容を確認するための確認画面の表示を省略して前記印刷処理を開始すること、及び、前記読取サイズの設定を受け付けるための設定画面が表示された状態から前記設定内容を確認するための確認画面の表示を省略して前記印刷処理を開始することを許容し、前記特定の操作がなされない場合は、画面の表示を省略して前記印刷処理を開始することを許容しないように制御する制御する制御ステップとを有することを特徴とする画像形成装置の制御方法。
【請求項１５】
請求項１３又は１４に記載の画像形成装置の制御方法をコンピュータに実行させるためのプログラム。
【発明の詳細な説明】
【技術分野】
【０００１】
本発明は、コピージョブの仕上げの設定を容易に行うことができる画像形成装置、画像形成装置の制御方法、及びプログラムに関する。
【背景技術】
【０００２】
従来、複写機能を備えるプリンタなどの画像形成装置が一般的に知られている。この画像形成装置の中にはショートカットキーが備えられているものもあり、ユーザはこのショートカットキーを用いることで、ある機能を実行するための特定の画面を容易に表示させることができる。画像形成装置のショートカットキーを用いる形態として、特許文献１のような方法が知られている。
【０００３】
特許文献１によると、画像形成装置は２つのショートカットキーを備えている。ユーザはこの２つのショートカットキーに任意の設定項目（例えば倍率と画像の色）を登録することができる。このように、例えば使用頻度の高い設定項目をショートカットキーに登録しておくことで、ユーザは当該設定項目を設定するための設定画面を画像形成装置に容易に表示させることができる。
【先行技術文献】
【特許文献】
【０００４】
【特許文献１】特開２００９−００９２３４号公報
【発明の概要】
【発明が解決しようとする課題】
【０００５】
しかしながら、上述した従来技術では次に示す課題がある。例えば、複数の原稿の画像を縮小して１枚の用紙上にレイアウトして印刷する集約コピーを利用するために、ショートカットキーに集約コピーを登録するとする。このショートカットキーを用いることで集約コピーの設定画面を容易に表示させることができるが、実際に集約コピーを実行するためには、操作キーによってレイアウトや原稿の読取サイズなどを設定するためのユーザによる設定項目の入力操作が必要である。
【０００６】
本発明はかかる点に鑑み、画像形成装置が備える機能を実行するためにユーザが行う設定項目の入力操作を軽減させることを目的とする。
【課題を解決するための手段】
【０００７】
上述した課題を解決するために、本願発明が提供する画像形成装置は、原稿を読み取り画像データを生成する読取手段と、ユーザが指定した設定と前記画像データとに基づいて印刷処理を実行する印刷手段と、前記画像データを印刷するときのレイアウトの設定を受け付けるための設定画面と、前記レイアウトの設定を受け付けるための設定画面の後に表示される画面であって前記読取手段が原稿を読み取る際の読取サイズの設定を受け付けるための設定画面と、前記レイアウトの設定を受け付けるための設定画面及び前記読取サイズの設定を受け付けるための設定画面を介して行われた設定内容を確認するための確認画面とを表示する表示手段と、特定の操作がなされた場合は、前記レイアウトの設定を受け付けるための設定画面が表示された状態から前記読取サイズの設定を受け付けるための設定画面と前記設定内容を確認するための確認画面の表示を省略して前記印刷処理を開始すること、及び、前記読取サイズの設定を受け付けるための設定画面が表示された状態から前記設定内容を確認するための確認画面の表示を省略して前記印刷処理を開始することを許容し、前記特定の操作がなされない場合は、画面の表示を省略して前記印刷処理を開始することを許容しないように制御する制御手段とを備えることを特徴とする。
また、本願発明が提供する画像形成装置は、ユーザが指定した設定に基づいて印刷処理を実行する印刷手段と、第１の設定を受け付けるための設定画面と、前記第１の設定を受け付けるための設定画面の後に表示される画面であって第２の設定を受け付けるための設定画面と、前記第１の設定を受け付けるための設定画面及び前記第２の設定を受け付けるための設定画面を介して行われた設定内容を確認するための確認画面とを表示する表示手段と、特定の操作がなされた場合は、前記第１の設定を受け付けるための設定画面が表示された状態から前記第２の設定を受け付けるための設定画面と前記設定内容を確認するための確認画面の表示を省略して前記印刷処理を開始すること、及び、前記第２の設定を受け付けるための設定画面が表示された状態から前記設定内容を確認するための確認画面の表示を省略して前記印刷処理を開始することを許容し、前記特定の操作がなされない場合は、画面の表示を省略して前記印刷処理を開始することを許容しないように制御する制御手段とを備えることを特徴とする。
【発明の効果】
【０００９】
本発明によれば、画像形成装置が備える機能を実行するためにユーザが行う設定項目の入力操作を軽減させることができる。
【図面の簡単な説明】
【００１０】
【図１】本実施形態１に係る画像形成装置の構成を示すブロック図である。
【図２】本実施形態１に係る操作パネルの構成を示す図である。
【図３】本実施形態１に係る操作画面のフローを示す図である。
【図４】本実施形態１において、通常入力モードの集約コピーを実行するときの処理手順を示すフローチャートである。
【図５】本実施形態１において、簡易入力モードの集約コピーを実行するときの処理手順を示すフローチャートである。
【発明を実施するための形態】
【００１１】
以下、本発明を実施するための最良の形態について図面を用いて説明する。
【００１２】
（実施形態１）
図１は本実施形態における画像形成装置のハードウェア構成を示すブロック図である。
【００１３】
画像形成装置１００は、プリンタ１０７、スキャナ１０９、操作パネル１１０、回線Ｉ／Ｆ１１２、及び、これらの制御を司るコントローラ部１０１にて構成される。本実施形態における画像形成装置はスキャナやプリンタ、ファクシミリ、ネットワーク送信装置などの各装置の機能を１つの筺体内に収納した、ＭＦＰ（Ｍｕｌｔｉ  Ｆｕｎｃｔｉｏｎ  Ｐｅｒｉｐｈｅｒａｌ）であることとする。なお、本実施形態における画像形成装置はＭＦＰに限らず、複写機能を備えるプリンタであっても良い。
【００１４】
コントローラ部１０１は、ＣＰＵ１０２、ＲＡＭ１０３、ＲＯＭ１０４、プリンタＩ／Ｆ１０６、スキャナＩ／Ｆ１０８、ＭＯＤＥＭ１１１、ＵＳＢ  Ｉ／Ｆ１１５、ネットワークＩ／Ｆ１１５を含み、各ブロックはシステムバス１０５にて接続されている。ＣＰＵ１０２はＲＯＭ１０４やＨＤＤ（不図示）に格納された制御プログラムを読み出して装置全体の制御を行う。ＲＡＭ１０３はＣＰＵ１０２の主メモリ、ワークエリア等の一時領域として用いられる。ＲＯＭ１０４は、例えば後述する各フローチャートに係る処理を実行するための制御プログラムなどの情報を格納する。
【００１５】
ネットワークＩ／Ｆ１１５は、ネットワーク（ＬＡＮ）１１７などを介してホストコンピュータ１１８（図中、ＰＣと表記；以降、ＰＣという）との通信処理を行う。ネットワークＩ／Ｆ１１５とネットワーク１１７とは、ＬＡＮケーブル１１６などの通信ケーブルで接続される。
【００１６】
回線Ｉ／Ｆ１１２は、ＭＯＤＥＭ１１１と公衆回線網１１４とを接続するためのインターフェースである。ＭＯＤＥＭ１１１は、回線Ｉ／Ｆ１１２を介して公衆回線網１１４と接続し、図示しない他の画像形成装置やファクシミリ装置、電話機などと通信処理を行う。回線Ｉ／Ｆ１１２と公衆回線網１１４とは、一般的に電話線１１３などで接続される。
【００１７】
プリンタＩ／Ｆ１０６は、プリンタ１０７に画像信号を出力するインターフェースである。また、スキャナＩ／Ｆ１０８は、スキャナ１０９からの読取画像信号を入力するインターフェースである。ＣＰＵ１０２は、スキャナ１０９からスキャナＩ／Ｆ１０８を介して入力された画像信号を処理し、記録画像信号としてプリンタＩ／Ｆ１０６を介してプリンタ１０７へ出力する。これにより、スキャナ１０９が原稿を読み取ることで生成した画像データが、プリンタ１０７で印刷される。なお、本実施形態ではスキャナ１０９は原稿のサイズを検知する機能を備えていないこととして説明するが、これに限られるものではない。
【００１８】
操作パネル１１０は表示部を備え、文字や記号などの情報を表示することができる。操作パネル１１０に表示される文字や記号などの情報は、ＲＯＭ１０４に格納されたフォント情報などに基づいてＣＰＵ１０２が表示する。また、操作パネル１１０はユーザによって操作され、ＣＰＵ１０２はユーザの操作による指示内容を操作パネル１１０から受け取る。なお、操作パネル１１０は後述する図２でさらに詳しく説明する。
【００１９】
なお、本実施形態ではプリンタ１０７及びスキャナ１０９は画像形成装置１００の内部にある構成としたが、どちらかもしくは両方とも画像形成装置１００の外部にある構成でも良い。
【００２０】
図２は操作パネル１１０の説明図である。操作パネル１１０は表示部となるＬＣＤ２１９と様々な種類の入力キーとを備える。
【００２１】
ＬＣＤ２１９は表示部であり、操作画面の表示を行う。具体的には、図３に後述する各種操作画面を表示可能である。また、ＬＣＤ２１９はタッチパネル機能を備えていても良く、その場合ユーザの操作による指示内容をＣＰＵ１０２に渡すことができる。
【００２２】
入力キー２１１から２１３は、それぞれ画像形成装置１００が備える「コピー」「ファクス」「スキャン」機能をユーザが利用するために押下する入力キーである。入力キー２１１から２１３のいずれかがユーザによって押下されることで、対応する機能を実行するための基本画面が表示される。また、入力キー２１１から２１３のいずれかの入力キーがユーザによって押下されると、当該入力キーは点灯する。これにより、ユーザはどの入力キーが押下されたか容易に確認することができる。
【００２３】
入力キー２１４はＯＫキーであり、ユーザが複数の設定項目の中から所望の設定項目を選択して決定したり、ユーザが何らかの設定項目を入力して決定したりするときに押下される入力キーである。入力キー２１５〜２１８は矢印キーであり、ユーザが設定する設定項目を選択するために使用する。
【００２４】
入力キー２２０はスタートキー（モノクロ）であり、例えばスキャナ１０９で読み取った画像をカラーではなくモノクロでプリンタ１０７が印刷する。同様に、入力キー２２１はスタートキー（カラー）であり、例えばスキャナ１０９で読み取った画像をモノクロではなくカラーでプリンタ１０７が印刷する。入力キー２２２はストップキーであり、画像形成装置が備える機能の実行を停止させる。入力キー２２３〜２２６はショートカットキーであり、それぞれ使用頻度の高い特定の機能が割り当てられる。
【００２５】
ここまで本実施形態におけるハードウェア構成を説明した。引き続き、本実施形態における処理の流れを説明する。
【００２６】
本実施形態において、画像形成装置１００はコピー機能の１つとして集約コピーを提供する。ユーザは集約コピーを用いることで、２枚の原稿の画像を１枚の用紙上にレイアウトしてコピーする「２  ｉｎ  １コピー」や、４枚の原稿の画像を１枚の用紙上にレイアウトしてコピーする「４  ｉｎ  １コピー」を実現することができる。また、集約コピーに必要な設定項目の入力方法として、通常入力モードと簡易入力モードの２つの入力方法をユーザは利用することができる。簡易入力モードの集約コピーは、集約コピーに必要な設定項目の入力を省略できる点が特徴である。これにより、簡易入力モードの集約コピーは、通常入力モードの集約コピーと比べてユーザが行う設定項目の入力操作を軽減させることができる。ユーザは目的に応じて、通常入力モードの集約コピーと簡易入力モードの集約コピーとを切り替えて実行することができる。
【００２７】
図３（ａ）は通常入力モードの集約コピーをユーザが実行するときの操作画面のフローを説明する図である。操作画面３０１〜３０５はＬＣＤ２１９が表示する操作画面である。なお、矢印は操作画面の遷移を表わしている。
【００２８】
まず、ユーザがコピー機能を利用するために入力キー２１１を押下すると、コピー機能の基本画面である操作画面３０１が表示される。操作画面３０１には、コピーを実行するための設定項目が表示されている。「ページ集約」は「２  ｉｎ  １コピー」や「４  ｉｎ  １コピー」などのレイアウトを設定するための項目である。なお、操作画面３０１に表示される設定項目は様々な項目が考えられ、本実施形態の設定項目に限定されるわけではない。また、ＬＣＤ２１９の表示領域が十分な大きさではない場合は、矢印キー（入力キー２１５〜２１８）を押下して操作画面３０１をスクロールさせることで、ユーザはすべての設定項目を確認することができる。
【００２９】
操作画面３０１においてユーザが矢印キー（入力キー２１５〜２１８）で「ページ集約」を選択してＯＫキー（入力キー２１４）を押下すると、操作画面３０２が表示される。操作画面３０２は、「２  ｉｎ  １コピー」や「４  ｉｎ  １コピー」などのレイアウトを設定するための操作画面である。ユーザは矢印キー（入力キー２１５〜２１８）を入力することで、所望のレイアウトを選択することができる。
【００３０】
ユーザが操作画面３０２で所望のレイアウトを選択しＯＫキー（入力キー２１４）を押下すると、操作画面３０３が表示される。操作画面３０３では、ユーザは原稿の読取サイズの設定を行う。上述したようにスキャナ１０９は原稿のサイズを検知する機能を備えていないので、「２  ｉｎ  １コピー」や「４  ｉｎ  １コピー」を行う際には、原稿の画像を正しいレイアウトに配置するためにユーザが原稿のサイズを設定する必要がある。
【００３１】
ユーザが操作画面３０３で原稿の読取サイズを設定しＯＫキー（入力キー２１４）を押下すると、操作画面３０４が表示される。操作画面３０４は、操作画面３０１と同様のコピー機能の基本画面であるが、ユーザがコピーの設定を確認するための設定確認画面としても用いられる。ユーザがさらにコピーを実行するための設定、例えば両面コピーの設定を行いたい場合は、矢印キー（入力キー２１５〜２１８）で「両面」を選択してＯＫキー（入力キー２１４）を押下することで両面コピーの設定画面（不図示）が表示される。
【００３２】
ユーザが操作画面３０４で設定を確認しスタートキー（入力キー２２０もしくは２２１）を押下すると、集約コピーが開始し、集約コピーが実行中であることを示す操作画面３０５が表示される。
【００３３】
以上、通常入力モードの集約コピーをユーザが実行する場合には、集約コピーを実行するための設定の途中（例えば操作画面３０２や３０３）でスタートキー（入力キー２２０もしくは２２１）が押下されたとしても、集約コピーは開始されない。これは、集約コピーを実行するために必要な設定項目の入力や設定の確認を確実にユーザに行わせるための処理である。このように、ユーザは集約コピーを実行するために必要な設定項目の入力や設定の確認を行うことができるので、ユーザは意図した印刷結果を確実に得ることができる。
【００３４】
一方、ユーザが行う設定項目の入力を省略して入力操作を早く完了したい、あるいは入力操作を簡単にしたいという要望もある。この要望に応える機能が簡易入力モードの集約コピーであり、図３（ｂ）は簡易入力モードの集約コピーをユーザが実行するときの操作画面のフローを説明する図である。操作画面３１１〜３１４はＬＣＤ２１９が表示する操作画面である。なお、矢印は操作画面の遷移を表わしている。
【００３５】
ユーザが簡易入力モードの集約コピーを開始すると、まず操作画面３１１が表示される。操作画面３１１は、「２  ｉｎ  １コピー」や「４  ｉｎ  １コピー」などのレイアウトを設定するための操作画面である。本実施形態において操作画面３１１を表示するためには、簡易入力モードの集約コピーのために設けられたショートカットキー（例えば入力キー２２６）を押下することとする。このように、簡易入力モードの集約コピーを実行するときには、レイアウトを設定するための操作画面を表示させるために必要なユーザの入力操作の回数を、通常入力モードの集約コピーを実行するときよりも軽減することができる。
【００３６】
また、操作画面３１１において「片両」は片面原稿を読み込み両面コピーすることを、「片片」は片面原稿を読み込み片面コピーすることを意味していて、両面コピーの設定も操作画面３１１で同時に行うことができる。このように、簡易入力モードの集約コピーを実行するときには、両面コピーの設定を行うために必要なユーザの入力操作を、通常入力モードの集約コピーを実行するときよりも軽減することができる。
【００３７】
ユーザが操作画面３１１で所望のレイアウトを選択しスタートキー（入力キー２２０もしくは２２１）を押下すると、集約コピーが開始し、集約コピーが実行中であることを示す操作画面３１４が表示される。このとき、原稿の読取サイズの設定は行われていないので、予め画像形成装置１００に設定されているデフォルトの値（例えばＡ４）が用いられることになる。このデフォルトの値はユーザが自由に設定できるものでも良いし、画像形成装置１００に予め設定されていてユーザが変更できないようになっていても良い。また、前回の処理で設定されたサイズをデフォルトの値として設定しても良いし、それまでに設定されたサイズを蓄積し、使用頻度の高いサイズをデフォルトの値として設定しても良い。また、本実施形態ではスキャナ１０９は読み取った原稿のサイズを検知する機能を備えていないものとして説明しているが、スキャナ１０９が原稿のサイズを検知する機能を備えている場合は、次のような設定も考えられる。即ち、スキャナ１０９が検知した原稿のサイズを、予め画像形成装置１００に設定されているデフォルトの値としても良い。
【００３８】
ユーザが操作画面３１１で所望のレイアウトを選択しＯＫキー（入力キー２１４）を押下すると、操作画面３１２が表示される。操作画面３１２では、操作画面３０３と同様にユーザは原稿の読取サイズの設定を行う。
【００３９】
ユーザが操作画面３１２で原稿の読取サイズを設定しスタートキー（入力キー２２０もしくは２２１）を押下すると、集約コピーが開始し、集約コピーが実行中であることを示す操作画面３１４が表示される。
【００４０】
また、ユーザが操作画面３１２で原稿のサイズを設定しＯＫキー（入力キー２１４）を押下すると、操作画面３１３が表示される。操作画面３１３は、操作画面３０１と同様のコピー機能の基本画面であるが、ユーザがコピーの設定を確認するための設定確認画面としても用いられる。ユーザが操作画面３１３で設定を確認しスタートキー（入力キー２２０もしくは２２１）を押下すると集約コピーが開始し、集約コピーが実行中であることを示す操作画面３１４が表示される。ユーザがさらに設定を行いたい場合は、操作画面３１３で設定を行いたい項目を選択し、設定を行うことができる。
【００４１】
なお、操作画面３１１や操作画面３１２において、スタートキー（入力キー２２０もしくは２２１）を押下すると集約コピーを実行可能であることをユーザに通知するために、ステータスバー（不図示）にその旨を表示させても良い。また、スタートキー（入力キー２２１もしくは２２２）に備えられたＬＥＤ（不図示）を点灯させて、集約コピーを実行可能であることをユーザに通知しても良い。
【００４２】
以上、簡易入力モードの集約コピーを実行する場合には、集約コピーの実行のための設定の途中（例えば操作画面３１１や３１２）でスタートキー（入力キー２２０もしくは２２１）が押下されたときでも、集約コピーを実行することができる。特に、操作画面３１１でスタートキー（入力キー２２０もしくは２２１）が押下された場合には、以降の操作画面で設定されるべき設定項目（本実施形態では原稿の読取サイズ）がユーザに設定されていなくても、集約コピーを実行することができる。ユーザにしてみれば、集約コピーに必要な設定項目（本実施形態では原稿の読取サイズ）の入力を省略することができるので、ユーザが行う設定項目の入力操作を軽減することができる。
【００４３】
また、ユーザは集約コピーを実行するときに、通常入力モードと簡易入力モードのどちらの集約コピーを実行するのかを、目的に応じて切り替えることができる。ユーザが意図した印刷結果を確実に得たい場合には、集約コピーに必要な設定項目の入力や設定の確認を省略することのできない通常入力モードの集約コピーを実行すれば良い。一方、設定項目の入力を省略して入力操作を早く完了したい、あるいは入力操作を簡単にしたい場合には、簡易入力モードの集約コピーを実行すれば良い。
【００４４】
図４は、本実施形態においてユーザが通常入力モードの集約コピーを実行するときの処理手順を示すフローチャートである。なお、ステップＳ４０１〜Ｓ４０９の各ステップは、画像形成装置１００が備えるＣＰＵ１０２がＲＯＭ１０４等のメモリに格納されたプログラムをＲＡＭ１０３に展開して実行することによって処理される。当該プログラムに従って、ＣＰＵ１０２が図１に記載の各ハードウェアを制御する。
【００４５】
ユーザがコピー機能を利用するために入力キー２１１を押下すると、ＬＣＤ２１９はコピー機能の基本画面として操作画面３０１を表示する。操作画面３０１においてユーザが矢印キー（入力キー２１５〜２１８）を用いて「ページ集約」を選択すると、ステップ４０１において、ＬＣＤ２１９はレイアウト設定画面（操作画面３０２）を表示する。レイアウト設定画面（操作画面３０２）では、ユーザは所望のレイアウトを選択することができる。そしてステップＳ４０２において、ＣＰＵ１０２はユーザによってＯＫキー（入力キー２１４）が押下されたか否かを判定する。ＯＫキー（入力キー２１４）がユーザによって押下されたとＣＰＵ１０２が判定した場合は、ステップＳ４０３に進み、レイアウト設定画面（操作画面３０２）でユーザが選択したレイアウトをレイアウトの設定値として設定する。なお、ここでスタートキー（入力キー２２０もしくは２２１）がユーザによって押下されたとしても、集約コピーは開始しない。
【００４６】
次にステップＳ４０４において、ＬＣＤ２１９は読取サイズ設定画面（操作画面３０３）を表示する。読取サイズ設定画面（操作画面３０３）では、ユーザは原稿の読取サイズを選択することができる。そしてステップＳ４０５において、ＣＰＵ１０２はユーザによってＯＫキー（入力キー２１４）が押下されたか否かを判定する。ＯＫキー（入力キー２１４）がユーザによって押下されたとＣＰＵ１０２が判定した場合は、ステップＳ４０６に進み、読取サイズ設定画面（操作画面３０３）でユーザが選択した読取サイズを読取サイズの設定値として設定する。なお、ここでスタートキー（入力キー２２１もしくは２２２）がユーザによって押下されたとしても、集約コピーは開始しない。
【００４７】
次にステップＳ４０７において、ＬＣＤ２１９は設定確認画面（操作画面３０４）を表示する。そしてステップＳ４０８において、ＣＰＵ１０２はユーザによってスタートキー（入力キー２２０もしくは２２１）が押下されたか否かを判定する。スタートキー（入力キー２２０もしくは２２１）がユーザによって押下されたとＣＰＵ１０２が判定した場合は、ステップＳ４０９に進み、設定されたレイアウトと読取サイズ、そして出力先の用紙のサイズに基づき、集約コピーが開始される。なお、本実施形態において出力先の用紙のサイズは、ユーザが予め使用する給紙カセット（不図示）を設定しておくことで、当該給紙カセットにセットされている用紙のサイズに基づいて決定されることとする。
【００４８】
図５は、本実施形態においてユーザが簡易入力モードの集約コピーを実行するときの処理手順を示すフローチャートである。なお、ステップＳ５０１〜Ｓ５１４の各ステップは、画像形成装置１００が備えるＣＰＵ１０２がＲＯＭ１０４等のメモリに格納されたプログラムをＲＡＭ１０３に展開して実行することによって処理される。当該プログラムに従って、ＣＰＵ１０２が図１に記載の各ハードウェアを制御する。
【００４９】
ユーザが簡易入力モードの集約コピーのために設けられたショートカットキー（例えば入力キー２２６）を押下すると、ステップＳ５０１において、ＬＣＤ２１９はレイアウト設定画面（操作画面３１１）を表示する。レイアウト設定画面（操作画面３１１）では、ユーザは所望のレイアウトを選択することができる。そしてステップＳ５０２において、ＣＰＵ１０２はユーザによってＯＫキー（入力キー２１４）が押下されたか否かを判定する。ＯＫキー（入力キー２１４）がユーザによって押下されたとＣＰＵ１０２が判定した場合は、ステップＳ５０３に進み、レイアウト設定画面（操作画面３１１）でユーザが選択したレイアウトをレイアウトの設定値として設定する。
【００５０】
次にステップＳ５０４において、ＬＣＤ２１９は読取サイズ設定画面（操作画面３１２）を表示する。読取サイズ設定画面（操作画面３１２）では、ユーザは原稿の読取サイズを選択することができる。そしてステップＳ５０５において、ＣＰＵ１０２はユーザによってＯＫキー（入力キー２１５）が押下されたか否かを判定する。ＯＫキー（入力キー２１４）がユーザによって押下されたとＣＰＵ１０２が判定した場合は、ステップＳ５０６に進み、読取サイズ設定画面（操作画面３１２）でユーザが選択した読取サイズを読取サイズの設定値として設定する。
【００５１】
次にステップＳ５０７において、ＬＣＤ２１９は設定確認画面（操作画面３１３）を表示する。そしてステップＳ５０８において、ＣＰＵ１０２はユーザによってスタートキー（入力キー２２０もしくは２２１）が押下されたか否かを判定する。スタートキー（入力キー２２０もしくは２２１）がユーザによって押下されたとＣＰＵ１０２が判定した場合は、ステップＳ５０９に進み、設定されたレイアウトと読取サイズ、そして出力先の用紙のサイズに基づき、集約コピーが開始される。なお、本実施形態において出力先の用紙のサイズは、ユーザが予め使用する給紙カセット（不図示）を設定しておくことで、当該給紙カセットにセットされている用紙のサイズに基づいて決定されることとする。
【００５２】
ステップＳ５０２の説明に戻る。ステップＳ５０２においてＯＫキー（入力キー２１４）がユーザによって押下されていないとＣＰＵ１０２が判定した場合は、ステップＳ５１０に進む。ステップＳ５１０において、ＣＰＵ１０２はユーザによってスタートキー（入力キー２２０もしくは２２１）が押下されたか否かを判定する。スタートキー（入力キー２２０もしくは２２１）がユーザによって押下されたとＣＰＵ１０２が判定した場合は、ステップＳ５１１に進み、レイアウト設定画面（操作画面３１１）でユーザが選択したレイアウトをレイアウトの設定値として設定する。次に、ステップＳ５１２において、画像形成装置１００に予め設定されているデフォルトのサイズを読取サイズの設定値として設定し、ステップＳ５０９に進み集約コピーが開始される。
【００５３】
ステップＳ５０５の説明に戻る。ステップＳ５０５においてＯＫキー（入力キー２１４）がユーザによって押下されていないとＣＰＵ１０２が判定した場合は、ステップＳ５１３に進む。ステップＳ５１３において、ＣＰＵ１０２はユーザによってスタートキー（入力キー２２０もしくは２２１）が押下されたか否かを判定する。スタートキー（入力キー２２０もしくは２２１）がユーザによって押下されたとＣＰＵ１０２が判定した場合は、ステップＳ５１４に進み、読取サイズ設定画面（操作画面３１２）でユーザが選択した読取サイズを読取サイズの設定値として設定する。そしてステップＳ５０９に進み集約コピーが開始される。なお、本実施形態では、ステップＳ５１４の処理は読取サイズ設定画面（操作画面３１２）が示すように、選択された状態になっている読取サイズをユーザが設定した読取サイズとして扱っている。読取サイズ設定画面（操作画面３１２）においていずれの読取サイズも選択された状態になっていない場合は、ステップＳ５１４において、画像形成装置１００に予め設定されているデフォルトのサイズを読取サイズの設定値として設定しても良い。
【００５４】
以上の説明の通り、本実施形態によれば、ユーザは集約コピーを実行するときに、通常入力モードと簡易入力モードのどちらの集約コピーを実行するのかを、目的に応じて切り替えることができる。ユーザが意図した印刷結果を確実に得たい場合には、集約コピーに必要な設定項目の入力や設定の確認を省略することのできない通常入力モードの集約コピーを実行すれば良い。一方、設定項目の入力を省略して入力操作を早く完了したい、あるいは入力操作を簡単にしたい場合には、簡易入力モードの集約コピーを実行すれば良い。
【００５５】
また、本実施形態によれば、ユーザが簡易入力モードの集約コピーを実行する場合には、実行のための設定の途中（例えば操作画面３１１や３１２）でスタートキー（入力キー２２０もしくは２２１）が押下されたときでも、コピーを実行することができる。特に、操作画面３１１でスタートキー（入力キー２２０もしくは２２１）が押下された場合には、以降の操作画面で設定されるべき設定項目（本実施形態では原稿の読取サイズ）がユーザに設定されていなくても、集約コピーを実行することができる。ユーザにしてみれば、簡易入力モードの集約コピーを実行する場合には、集約コピーに必要な設定項目（本実施形態では原稿の読取サイズ）の入力を省略することを許可されるので、ユーザが行う設定項目の入力操作を軽減することができる。
【００５６】
なお、本実施形態ではコピー機能として集約コピーを例に挙げ、集約コピーに必要な設定としてレイアウトを第１の設定値、原稿の読取サイズを第２の設定値として説明したが、本願発明が適用できる設定値はこれらに限定されるものではない。コピー機能を実行するための設定値であれば、本願発明を適用することができる。
【００５７】
（その他の実施形態）
本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５８】
１００  画像形成装置
１０２  ＣＰＵ
１０７  プリンタ
１０８  スキャナ
１１０  操作パネル
２１９  ＬＣＤ
【図１】
0005341872.tif 000002
【図２】
0005341872.tif 000003
【図３】
0005341872.tif 000004
【図４】
0005341872.tif 000005
【図５】
0005341872.tif 000006